(57)【要約】【課題】靴に被せて使用することによって、安全性を高めることができるとともにコスト面においても有利な靴用保護カバーを提供する。【解決手段】靴１０の上面１０Ａ及び側面１０Ｂを覆う上面部２及び側面部３を有する被覆部４と、被覆部４の一端部から延びて靴１０の足挿入口１０Ｋの周囲に沿って巻き付けられて被覆部４の他端部に重合する重合部５を有する巻付け部６とを備えるシート状部材と、重合部５を被覆部４の他端部に固定及び固定解除可能な固定手段９を備え、被覆部４の上面部２の内側に足の甲を保護する硬質材料で構成されるプロテクタ７を収容するための収容部を備えている。【選択図】  図４
0003199538.tif 000002
【実用新案登録請求の範囲】
【請求項１】
靴の上面及び側面を覆う上面部及び側面部を有する被覆部と、該被覆部の一端部から延びて前記靴の足挿入口の周囲に沿って巻き付けられて該被覆部の他端部に重合する重合部を有する巻付け部とを有するシート状部材と、
前記重合部を前記被覆部の他端部に固定及び固定解除可能な固定手段を備え、
前記被覆部の上面部の内側に足の甲を保護する硬質材料で構成されるプロテクタを収容するための収容部を備えていることを特徴とする靴用保護カバー。
【請求項２】
前記収容部内に収容されたプロテクタが該収容部の外部へ移動することがないように、該収容部の開口部を閉じるための開閉自在な開閉手段を備えていることを特徴とする請求項１に記載の靴用保護カバー。
【請求項３】
前記開閉手段が、前記収容部の開口部縁に設けた雄型又は雌型の面ファスナーと、該雄型又は雌型の面ファスナーに対応する前記被覆部の上面部の位置に係脱自在に設けられた雌型又は雄型の面ファスナーとを備えていることを特徴とする請求項２に記載の靴用保護カバー。
【請求項４】
前記開閉手段を閉じた状態において、前記収容部内に収容されたプロテクタが前後方向に移動可能な隙間が存在するように該収容部内の収容空間を形成していることを特徴とする請求項２又は３に記載の靴用保護カバー。
【請求項５】
前記固定手段が、前記重合部に設けた雄型又は雌型の面ファスナーと、該雄型又は雌型の面ファスナーに対応する前記被覆部の他端部の位置に係脱自在に設けられた雌型又は雄型の面ファスナーとを備えていることを特徴とする請求項１〜４のうちのいずれか１項に記載の靴用保護カバー。
【考案の詳細な説明】
【技術分野】
【０００１】
本考案は、靴に被せるように巻き付けて装着することで足の甲を保護することができる靴用保護カバーに関する。
【背景技術】
【０００２】
従来から、工事現場で働く人の他、荷物や商品を配送する運送業者等が主として履く、安全靴が知られている。このような安全靴は、取り扱い易くするために比較的軽量に構成されたものが一般的である。具体的な構成として、安全靴には、足の甲を保護するための甲覆い革からなる芯材が内蔵されている。しかし、このような柔らかい芯材では、例えば靴の上に重量物が落下した場合に、足を十分に保護することができない。そのため、作業によっては安全靴を使用できない。
【０００３】
そこで、靴の上に重量物が落下した場合でも、足の甲及び足首の前側部を確実に保護することができるように、金属板で構成されるプロテクタが内蔵された専用の靴が提案されている（例えば、特許文献１参照）。
【先行技術文献】
【特許文献】
【０００４】
【特許文献１】特開２０１０−２０７３８９号公報
【考案の概要】
【考案が解決しようとする課題】
【０００５】
上記のように安全靴では対応できない作業を行う場合に、プロテクタが内蔵された専用の靴を別途購入することは、作業者にとってコスト面において大きな負担になっていた。また、購入した専用の靴を使用している際に、例えばプロテクタのみを損傷してしまった場合に、プロテクタのみを交換することができない。そのため、新たな靴を再度購入しなければならず、作業者にとってコスト面において更に大きな負担となり、改善の余地があった。
【０００６】
そこで、本考案は、かかる事情に鑑みてなされたもので、靴に被せて使用することによって、安全性を高めることができるとともにコスト面においても有利な靴用保護カバーを提供することを課題とする。
【課題を解決するための手段】
【０００７】
本考案に係る靴用保護カバーは、靴の上面及び側面を覆う上面部及び側面部を有する被覆部と、該被覆部の一端部から延びて前記靴の足挿入口の周囲に沿って巻き付けられて該被覆部の他端部に重合する重合部を有する巻付け部とを有するシート状部材と、前記重合部を前記被覆部の他端部に固定及び固定解除可能な固定手段を備え、前記被覆部の上面部の内側に足の甲を保護する硬質材料で構成されるプロテクタを収容するための収容部を備えていることを特徴としている。
【０００８】
本考案によれば、収容部に硬質材料で構成されるプロテクタが収容されたシート状部材の被覆部で靴の上面及び側面を覆ってから、巻付け部で巻き付ける。巻き付けてから重合部を固定手段で被覆部の他端部に固定することによって、靴用保護カバーを靴に装着することができる。この装着された状態では、重量物が靴の上に落下したとしても、硬質材料で構成されるプロテクタにより足の甲へ衝撃力が伝わることを回避することができる。また、安全靴や運動靴等の靴に靴用保護カバーを装着するだけで、安全性の高い靴を構成することができるので、新たな専用の靴を購入する場合に比べて、コスト面において有利になる。また、プロテクタが損傷した場合には、新たな靴用保護カバーを購入するだけで済み、プロテクタが内蔵された専用の靴を新たに購入する場合に比べて、コスト面において有利になる。
【０００９】
また、本考案に係る靴用保護カバーは、前記収容部内に収容されたプロテクタが該収容部の外部へ移動することがないように、該収容部の開口部を閉じるための開閉自在な開閉手段を備えた構成であってもよい。
【００１０】
上記のように構成することによって、例えばプロテクタが損傷してしまい、プロテクタの交換をしたい場合には、開閉手段を開放状態にして損傷したプロテクタを取り出して、新たなプロテクタを収容部に入れて開閉手段を閉じることによって、プロテクタの交換を容易に行うことができる。しかも、開閉手段を閉じ状態にしておけば、収容部からプロテクタが飛び出してしまうといったことがない。
【００１１】
また、本考案に係る靴用保護カバーは、前記開閉手段が、前記収容部の開口部縁に設けた雄型又は雌型の面ファスナーと、該雄型又は雌型の面ファスナーに対応する前記被覆部の上面部の位置に係脱自在に設けられた雌型又は雄型の面ファスナーとを備えている構成であってもよい。
【００１２】
上記のように、開閉手段を面ファスナーから構成することによって、ベルトやホックやボタン等から構成した場合に比べて、収容部の開閉の操作性の向上を図ることができる。
【００１３】
また、本考案に係る靴用保護カバーは、前記開閉手段を閉じた状態において、前記収容部内に収容されたプロテクタが前後方向に移動可能な隙間が存在するように該収容部内の収容空間を形成していてもよい。
【００１４】
上記のように、プロテクタが前後方向に移動可能な隙間が存在するように収容部内の収容空間を形成しておけば、プロテクタが隙間なく収容されている場合に、例えば歩行時に靴が折れ曲がる度に、プロテクタから被覆部に押圧力が作用して被覆部を破損させるといったことがなく、長期間に亘って良好に使用できる。
【００１５】
また、本考案に係る靴用保護カバーは、前記固定手段が、前記重合部に設けた雄型又は雌型の面ファスナーと、該雄型又は雌型の面ファスナーに対応する前記被覆部の他端部の位置に係脱自在に設けられた雌型又は雄型の面ファスナーとを備えている構成であってもよい。
【００１６】
上記のように、固定手段を面ファスナーから構成することによって、ベルトやホックやボタン等から構成した場合に比べて、重合部の開閉の操作性の向上を図ることができる。
【考案の効果】
【００１７】
以上の如く、本考案によれば、安全靴や運動靴等の靴（長靴も含む）に被せて使用することによって、安全性を高めることができるとともにコスト面においても有利な靴用保護カバーを提供することができる。
【図面の簡単な説明】
【００１８】
【図１】靴用保護カバーの斜視図である。
【図２】靴用保護カバーの展開図である。
【図３】靴用保護カバーの縦断側面図である。
【図４】靴に靴用保護カバーを装着する直前の状態を示す斜視図である。
【図５】別の靴用保護カバーを示し、（ａ）は斜視図、（ｂ）は縦断側面図である。
【考案を実施するための形態】
【００１９】
以下、本考案に係る靴用保護カバーの一実施形態について、図面に基づいて説明する。
【００２０】
図１〜図３に、靴用保護カバー１を示している。この靴用保護カバー１は、図４に示す長靴タイプの安全靴（普通の長靴でもよい）１０に装着されて、安全性の高い安全靴を構成するために用いられる。
【００２１】
具体的には、靴用保護カバー１は、複数の布を縫い合わせることで構成され、安全靴１０の上面１０Ａ及び左右の側面１０Ｂ，１０Ｂを覆う上面部２及び側面部３を有する被覆部４と、被覆部４の一端部から延びて安全靴１０の足挿入口１０Ｋの周囲に沿って巻き付けられて被覆部４の他端部に重合する重合部５を有する巻付け部６とを有するシート状部材を備えている。尚、被覆部４の表面を防水処理して実施してもよい。
【００２２】
側面部３は、上面部２から後側へ延びる足の側面を覆う一対の下側側面部３Ａ，３Ａと、一対の下側側面部３Ａ，３Ａの上端から上方に延びて足首から所定距離上方の位置まで覆う上側側面部３Ｂ，３Ｂとを備えている。
【００２３】
また、靴用保護カバー１は、被覆部４の上面部２の内側に足の甲を保護する硬質材料で構成されるプロテクタ７を収容するための収容部（一端（後端）に開口部が形成されたポケット）８を備えている。収容部８は、上面部２と略同一形状でかつ略同一の大きさになるように複数枚の布を縫い合わせてなり、開口部を除く布の外縁部分を被覆部４に縫い付けることによって、プロテクタ７の収容空間８Ｋ（図２及び図３参照）を形成している。
【００２４】
プロテクタ７は、図２に示すように、足の甲に沿うように前後方向視において中央部ほど上方へ凸となる湾曲した形状になる金属製の板状のものから構成されているが、金属とほぼ同等な強度を有するものであれば、どのような材料で構成してもよい。例えば、硬質の合成樹脂や各種金属と合成樹脂とを混ぜて作製したもの等がある。
【００２５】
靴用保護カバー１は、重合部５を被覆部４の他端部に固定及び固定解除可能な固定手段９を備えている。この固定手段９は、重合部５の端部に設けた雄型（又は雌型でもよい）の面ファスナー９Ａと、雄型の面ファスナー９Ａに対応する被覆部４の他端部の位置に係脱自在に設けられた雌型（又は雄型でもよい）の面ファスナー９Ｂとを備えている。重合部５側の面ファスナー９Ａは、重合部５の端部に重合部５の上下方向全域に亘る上下長さを有し、被覆部４側の面ファスナー９Ｂは、被覆部４の上下方向全域に亘る上下長さを有し、かつ、重合部５側の面ファスナー９Ａよりも前後方向の幅が大きくなっている。このように構成することによって、被覆部４側の面ファスナー９Ｂに対する重合部５側の面ファスナー９Ａの前後方向における重合位置を調整することができるので、大きさの異なる靴に対しても対応し易い。また、固定手段９を面ファスナー９Ａ，９Ｂから構成することによって、ベルトやホックやボタン等から構成した場合に比べて、重合部５の開閉の操作性の向上を図ることができる。
【００２６】
靴用保護カバー１は、収容部８の収容空間８Ｋ内に収容されたプロテクタ７が収容部８の外部へ移動することがないように、収容部８の開口部８Ａを閉じるための開閉自在な開閉手段１１を備えている。この開閉手段１１は、収容部８の開口部８Ａ側に設けた雄型（又は雌型でもよい）の左右の面ファスナー１１Ａ，１１Ａと、雄型の面ファスナー１１Ａ，１１Ａに対応する被覆部４の上面部の位置に係脱自在に設けられた雌型（又は雄型でもよい）の左右の面ファスナー１１Ｂ，１１Ｂとを備えている。前記のように開閉手段１１を面ファスナー１１Ａ，１１Ａ、１１Ｂ，１１Ｂから構成することによって、ベルトやホックやボタン等から構成した場合に比べて、収容部８の開閉の操作性の向上を図ることができる。ここでは、左右の面ファスナー１１Ａ，１１Ａ、１１Ｂ，１１Ｂとしているが、左右方向に長い一つの面ファスナー１１Ａ，１１Ｂで構成してもよいし、３つ以上の面ファスナーを設けて実施することもできる。
【００２７】
開閉手段である一対の面ファスナー１１Ａ，１１Ａ、１１Ｂ，１１Ｂを閉じた状態において、収容部８内に収容されたプロテクタ７が前後方向に移動可能な隙間Ｓが存在するように収容部８内の収容空間８Ｋを形成している。このように、プロテクタ７が前後方向に移動可能な隙間Ｓが存在するように収容部８内の収容空間８Ｋを形成しておけば、プロテクタ７が隙間なく収容されている場合に、例えば歩行時に靴が折れ曲がる度に、プロテクタ７から被覆部４に押圧力が作用して被覆部４を破損させるといったことがなく、長期間に亘って良好に使用できる。
【００２８】
このように構成された靴用保護カバー１を安全靴１０に装着する場合には、図４に示すように、安全靴１０の少し上方から安全靴１０を覆うようにプロテクタ７が入った靴用保護カバー１を安全靴１０に被せる。続いて巻付け部６を安全靴１０の足挿入口１０Ｋの周囲に沿って巻き付けるとともに重合部５の面ファスナー９Ａを被覆部４の面ファスナー９Ｂに係合することによって、重合部５を被覆部４に固定して、靴用保護カバー１の装着が完了する。ここでは、一方の安全靴１０に靴用保護カバー１を装着する場合について説明しているが、他方の安全靴１０にも靴用保護カバー１を装着することになる。
【００２９】
この装着された状態では、重量物が安全靴１０の上に落下したとしても、硬質材料で構成されるプロテクタ７により足の甲へ衝撃力が伝わることを回避することができる。また、安全靴１０や運動靴等の靴に靴用保護カバー１を装着するだけで、安全性の高い靴を構成することができるので、新たな専用の靴を購入する場合に比べて、コスト面において有利になる。また、プロテクタ７が損傷した場合には、新たな靴用保護カバー１を購入する、又はプロテクタ７のみを購入して損傷したプロテクタ７との交換を行うだけで済み、プロテクタが内蔵された専用の靴を新たに購入する場合に比べて、コスト面において有利になる。
【００３０】
また、図５に示すように靴用保護カバー１を構成して実施することもできる。つまり、前記構成の靴用保護カバー１の左右の下端同士を左右方向で連結するゴム等の弾性体でなる板状部材１２を下側側面部３Ａ，３Ａの下端部に縫い付けて実施することもできる。このようにすることによって、下側側面部３Ａ，３Ａを靴の側面部に常に密着するようにフィットさせることができる。尚、板状部材１２を、弾性体以外のもので構成してもよい。例えば、締め付けることができる２本の紐やベルト等から構成して実施することもできる。
【００３１】
尚、本考案は、前記実施形態に限定されるものではなく、本考案の要旨を逸脱しない範囲で種々の変更が可能である。
【００３２】
前記実施形態では、長靴用の靴用保護カバー１を示したが、安全靴や運動靴等の長靴以外の通常の靴に装着可能な靴用保護カバーであってもよい。この場合、上側側面部３Ｂ，３Ｂの無い下側側面部３Ａ，３Ａのみで側面部３を構成することになる。
【００３３】
また、前記実施形態では、開閉手段１１及び固定手段９を面ファスナーで構成したが、ボタン、ホック、スライドファスナ等であってもよい。
【００３４】
また、前記実施形態では、プロテクタ７が、足の甲を覆う大きさのものから構成したが、足の甲に加えて足首の前方も覆うことができる大きさのプロテクタ７であってもよい。
【００３５】
また、前記実施形態では、被覆部４を布から構成したが、合成樹脂から構成してもよい。
【符号の説明】
【００３６】
１…靴用保護カバー、２…上面部、３…側面部、３Ａ…下側側面部、３Ｂ…上側側面部、４…被覆部、５…重合部、６…巻付け部、７…プロテクタ、８…収容部、８Ａ…開口部、８Ｋ…収容空間、９…固定手段、９Ａ，９Ｂ…面ファスナー、１０…安全靴、１０Ａ…上面、１０Ｂ…側面、１０Ｋ…足挿入口、１１…開閉手段、１１Ａ，１１Ｂ…面ファスナー、１２…板状部材、Ｓ…隙間
【図１】
0003199538.tif 000003
【図２】
0003199538.tif 000004
【図３】
0003199538.tif 000005
【図４】
0003199538.tif 000006
【図５】
0003199538.tif 000007